(57)【要約】【課題】メッセージに添付された画像のサイズが許容値を超過すると、画像の解像度を調整して転送する、携帯端末機の画像転送装置及び方法、その調整した画像を転送する携帯端末機を提供する。【解決手段】携帯端末機の画像転送方法は、所定の解像度を有する１つ以上の画像が選択される過程と、前記選択された画像の総サイズを求める過程と、前記総サイズが転送可能サイズを超過するか否かを判断する過程と、前記総サイズが前記転送可能サイズを超過する場合、その総サイズが前記転送可能サイズを超過しないように、前記選択された画像のうち少なくとも１つの画像が有する解像度を調整する過程と、前記解像度を調整する過程により前記選択された画像の総サイズが転送可能サイズ以下になると、前記選択された画像をメッセージに添付して転送する過程とを含む。【選択図】図２
2006166467.tif 000002
【特許請求の範囲】
【請求項１】
所定の解像度を有する１つ以上の画像が選択される過程と、
前記選択された画像の総サイズを求める過程と、
前記総サイズが転送可能サイズを超過するか否かを判断する過程と、
前記総サイズが前記転送可能サイズを超過する場合、その総サイズが前記転送可能サイズを超過しないように、前記選択された画像のうち少なくとも１つの画像が有する前記所定の解像度を調整する過程と、
前記所定の解像度を調整する過程により前記選択された画像の総サイズが、前記転送可能サイズ以下になると、前記選択された画像をメッセージに添付して転送する過程と、
を含むことを特徴とする携帯端末機の画像転送方法。
【請求項２】
前記総サイズが前記転送可能サイズを超過しない場合、前記選択された画像をメッセージに添付する過程と、
前記画像を添付したメッセージを転送する過程と、をさらに含むことを特徴とする請求項１に記載の携帯端末機の画像転送方法。
【請求項３】
前記メッセージは、
マルチメディアメッセージであることを特徴とする請求項１に記載の携帯端末機の画像転送方法。
【請求項４】
前記所定の解像度を調整する過程は、
最大サイズを有する画像の解像度を調整することを特徴とする請求項１に記載の携帯端末機の画像転送方法。
【請求項５】
前記所定の解像度を調整する過程は、
前記画像の解像度を一段階低いレベルに調整することを特徴とする請求項４に記載の携帯端末機の画像転送方法。
【請求項６】
前記所定の解像度を調整する過程は、
前記選択された全ての画像の解像度を調整することを特徴とする請求項１に記載の携帯端末機の画像転送方法。
【請求項７】
前記所定の解像度を調整する過程は、
前記総サイズが前記転送可能サイズ以下になるまで、サイズの大きい画像から順に各画像の解像度を下げることを特徴とする請求項１に記載の携帯端末機の画像転送方法。
【請求項８】
前記所定の解像度を調整する過程は、
前記総サイズが前記転送可能サイズ以下になるまで、繰り返し実行することを特徴とする請求項１に記載の携帯端末機の画像転送方法。
【請求項９】
前記所定の解像度を調整する過程は、
最大サイズを有する画像の解像度を一段階低いレベルに調整する過程と、
前記解像度を調整した画像を含む総サイズと、前記転送可能サイズとを比較する過程と、
前記解像度を調整した画像を含む総サイズが、前記転送可能サイズを超過する場合、その総サイズが前記転送可能サイズ以下になるまで、最大サイズを有する画像の解像度を調整する過程と、
前記解像度を調整した画像を含む総サイズが、前記転送可能サイズ以下になるまで、前記比較する過程を繰り返し実行する過程と、を含むことを特徴とする請求項４に記載の携帯端末機の画像転送方法。
【請求項１０】
前記メッセージは、
マルチメディアメッセージサービス（ＭＭＳ）メッセージであることを特徴とする請求項２に記載の携帯端末機の画像転送方法。
【請求項１１】
前記転送可能サイズは、
４００Ｋｂｙｔｅであることを特徴とする請求項１に記載の携帯端末機の画像転送方法。
【請求項１２】
前記選択された画像は、
１２８０×９６０解像度レベル、６４０×４８０解像度レベル及び８０×８０解像度レベルのいずれか１つの解像度レベルであることを特徴とする請求項１に記載の携帯端末機の画像転送方法。
【請求項１３】
所定の解像度を有する１つ以上の画像が選択される手段と、
前記選択された画像の総サイズを求める手段と、
前記総サイズが転送可能サイズを超過するか否かを判断する手段と、
前記総サイズが前記転送可能サイズを超過する場合、その総サイズが前記転送可能サイズを超過しないように、前記選択された画像のうち少なくとも１つの画像が有する前記所定の解像度を調整する手段と、
前記所定の解像度を調整する手段の調整により前記選択された画像の総サイズが、前記転送可能サイズ以下になると、前記選択された画像をメッセージに添付して転送する手段と、
を含んで構成されることを特徴とする携帯端末機の画像転送装置。
【請求項１４】
前記選択された画像をメッセージに添付して転送する手段は、
前記総サイズが前記転送可能サイズを超過しない場合、解像度調整を実行せずに、前記選択された画像をメッセージに添付して転送することを特徴とする請求項１３に記載の携帯端末機の画像転送装置。
【請求項１５】
前記メッセージは、
マルチメディアメッセージであることを特徴とする請求項１３に記載の携帯端末機の画像転送装置。
【請求項１６】
前記所定の解像度を調整する手段は、
最大サイズを有する画像の解像度を調整することを特徴とする請求項１３に記載の携帯端末機の画像転送装置。
【請求項１７】
前記所定の解像度を調整する手段は、
前記画像の解像度を一段階低いレベルに調整することを特徴とする請求項１６に記載の携帯端末機の画像転送装置。
【請求項１８】
前記所定の解像度を調整する手段は、
前記選択された全ての画像の解像度を調整することを特徴とする請求項１３に記載の携帯端末機の画像転送装置。
【請求項１９】
前記所定の解像度を調整する手段は、
前記総サイズが前記転送可能サイズ以下になるまで、サイズの大きい画像から順に各画像の解像度を下げることを特徴とする請求項１３に記載の携帯端末機の画像転送装置。
【請求項２０】
前記所定の解像度を調整する手段は、
前記総サイズが前記転送可能サイズ以下になるまで、解像度調整を繰り返して実行することを特徴とする請求項１３に記載の携帯端末機の画像転送装置。
【請求項２１】
前記所定の解像度を調整する手段は、
最大サイズを有する画像の解像度を一段階低いレベルに調整する手段と、
前記解像度を調整した画像を含む総サイズと、前記転送可能サイズとを比較する手段と、
前記解像度を調整した画像を含む総サイズが、前記転送可能サイズを超過する場合、その総サイズが前記転送可能サイズ以下になるまで、最大サイズを有する画像の解像度を調整する手段と、
前記解像度を調整した画像を含む総サイズが、前記転送可能サイズ以下になるまで、前記比較する手段を繰り返して実行する手段と、
を含んで構成されることを特徴とする請求項１６に記載の携帯端末機の画像転送装置。
【請求項２２】
前記メッセージは、
マルチメディアメッセージサービス（ＭＭＳ）メッセージであることを特徴とする請求項１４に記載の携帯端末機の画像転送装置。
【請求項２３】
前記転送可能サイズは、
４００Ｋｂｙｔｅであることを特徴とする請求項１３に記載の携帯端末機の画像転送装置。
【請求項２４】
前記選択された画像は、
１２８０×９６０解像度レベル、６４０×４８０解像度レベル及び８０×８０解像度レベルのいずれか１つの解像度レベルであることを特徴とする請求項１３に記載の携帯端末機の画像転送装置。
【請求項２５】
画像を保存するストレージユニットと、
所定の解像度を有する１つ以上の画像が選択されると、該選択された画像の総サイズを求め、該総サイズが転送可能サイズを超過するか否かを判断し、前記総サイズが前記転送可能サイズを超過すると判断した場合、その総サイズが前記転送可能サイズを超過しないように、前記選択された画像のうち少なくとも１つの画像が有する前記所定の解像度を調整するプロセス部と、
前記プロセス部の調整により前記選択された画像の総サイズが、前記転送可能サイズ以下になると、前記選択された画像を転送する送信器と、
を含んで構成されることを特徴とする調整した画像を転送する携帯端末機。
【請求項２６】
画像の解像度を調整したか否かをユーザに知らせるディスプレイ部をさらに含むことを特徴とする請求項２５に記載の調整した画像を転送する携帯端末機。
【請求項２７】
無線信号の送受信のための送信器と受信器とを備えるＲＦモジュールと、
前記無線信号を送受信するアンテナと、
携帯端末機に電源を供給するバッテリと、
ユーザの命令が入力されるキーパッドと、
携帯端末機のオーディオ信号を出力するスピーカと、
ユーザの音声を受信するマイクロホンと、をさらに含むことを特徴とする請求項２６に記載の調整した画像を転送する携帯端末機。
【請求項２８】
前記プロセス部は、前記総サイズが前記転送可能サイズを超過しない場合、解像度調整を行わずに、前記選択された画像をメッセージに添付して、前記送信器により前記画像を添付したメッセージを転送させることを特徴とする請求項２５に記載の調整した画像を転送する携帯端末機。
【請求項２９】
前記メッセージは、
マルチメディアメッセージであることを特徴とする請求項２８に記載の調整した画像を転送する携帯端末機。
【請求項３０】
前記プロセス部は、
最大サイズを有する画像の解像度を調整することを特徴とする請求項２５に記載の調整した画像を転送する携帯端末機。
【請求項３１】
前記プロセス部は、
前記画像の解像度を一段階低いレベルに調整することを特徴とする請求項３０に記載の調整した画像を転送する携帯端末機。
【請求項３２】
前記プロセス部は、
前記選択された全ての画像の解像度を調整することを特徴とする請求項２５に記載の調整した画像を転送する携帯端末機。
【請求項３３】
前記プロセス部は、
前記総サイズが前記転送可能サイズ以下になるまで、サイズの大きい画像から順に各画像の解像度を下げることを特徴とする請求項２５に記載の調整した画像を転送する携帯端末機。
【請求項３４】
前記プロセス部は、
前記総サイズが前記転送可能サイズ以下になるまで、解像度調整を繰り返して実行することを特徴とする請求項２５に記載の調整した画像を転送する携帯端末機。
【請求項３５】
前記プロセス部は、
最大サイズを有する画像の解像度を一段階低いレベルに調整し、
前記解像度を調整した画像を含む総サイズと、前記転送可能サイズとを比較し、
前記解像度を調整した画像を含む総サイズが、前記転送可能サイズを超過すると、その総サイズが前記転送可能サイズ以下になるまで、最大サイズを有する画像の解像度を調整し、
前記解像度を調整した画像を含む総サイズが、前記転送可能サイズ以下になるまで、その総サイズと前記転送可能サイズとの比較を繰り返して実行することを特徴とする請求項３０に記載の調整した画像を転送する携帯端末機。
【請求項３６】
前記メッセージは、
マルチメディアメッセージサービス（ＭＭＳ）メッセージであることを特徴とする請求項２８に記載の調整した画像を転送する携帯端末機。
【請求項３７】
前記転送可能サイズは、
４００Ｋｂｙｔｅであることを特徴とする請求項２５に記載の調整した画像を転送する携帯端末機。
【請求項３８】
前記選択された画像は、
１２８０×９６０解像度レベル、６４０×４８０解像度レベル及び８０×８０解像度レベルのいずれか１つの解像度レベルであることを特徴とする請求項２５に記載の調整した画像を転送する携帯端末機。
【発明の詳細な説明】
【技術分野】
【０００１】
本発明は、携帯端末機の画像（image）転送装置及び方法に関し、特に、画像のサイズが許容値を超過した場合、画像の解像度を調整する装置及び方法、その解像度を調整した画像を転送する携帯端末機に関する。
【背景技術】
【０００２】
マルチメディアメッセージサービス（ＭＭＳ： Multimedia Message Service）は、テキスト、オーディオ、ビデオメッセージを生成して転送及び受信する情報提供サービスの一種である。ＳＭＳ（Short Message Service）は、移動通信ユーザ間に数字や文字の組み合わせにより生成されたメッセージを転送するサービスであり、世界中で使用されている。
【０００３】
ＭＭＳは、ＳＭＳと電子メールサービスが融合したサービスであり、既存のＳＭＳのデータサイズ及びメディアの限界を克服して、テキスト以外に画像、サウンド、マルチメディアファイルなどの多様なマルチメディアデータを転送する。
【０００４】
最近、携帯端末機を利用したＭＭＳが可能になったことで、ユーザは、テキストだけでなく、多様な画像やサウンドをいつでもどこでも転送できるようになった。また、携帯端末機には、既存のＳＭＳのように、ＭＭＳ機能が基本メニューに設定されているのでＭＭＳの利用が容易になった。
【０００５】
このような最近の携帯端末機は、「ＳＭＳ送信メニュー」以外に「ＭＭＳ送信メニュー」を備えているため、ユーザは、「ＭＭＳ送信メニュー」を利用して画像（例：写真）や音楽を添付したメッセージを他のユーザに転送することができる。そのメッセージを受信すると、ＳＭＳのように携帯端末機ですぐに確認することができる。
【０００６】
しかしながら、従来の画像転送の場合、複数枚の写真（例：４枚）をマルチメディアメッセージに添付したとき、添付された写真のサイズが転送可能サイズ（例：４００Ｋｂｙｔｅ）を超過すると、４枚の写真を一度に転送することが不可能になる。この場合、ユーザは、４枚の写真を何回かに分けてＭＭＳで転送しなければならないので、ＭＭＳの利用が非常に不便となる。さらに、ＭＭＳの課金体系は、１件当たりの課金方式（例：１件当り２００ウォン）であるので、ユーザに通信料金の負担がかかるという問題もある。
【発明の開示】
【発明が解決しようとする課題】
【０００７】
従って、本発明の目的は、メッセージに添付された画像のサイズが許容値を超過すると、画像の解像度を調整する、携帯端末機の画像転送装置及び方法、その調整した画像を転送する携帯端末機を提供することにある。
【課題を解決するための手段】
【０００８】
このような目的を達成するために、本発明に係る携帯端末機の画像転送方法は、所定の解像度を有する１つ以上の画像が選択される過程と、前記選択された画像の総サイズを求める過程と、前記総サイズが転送可能サイズを超過するか否かを判断する過程と、前記総サイズが前記転送可能サイズを超過する場合、その総サイズが前記転送可能サイズを超過しないように、前記選択された画像のうち少なくとも１つの画像が有する前記所定の解像度を調整する過程と、前記所定の解像度を調整する過程により前記選択された画像の総サイズが、前記転送可能サイズ以下になると、前記選択された画像をメッセージに添付して転送する過程と、を含むことを特徴とする。
【０００９】
ここで、前記総サイズが前記転送可能サイズを超過しない場合、前記選択された画像をメッセージに添付する過程と、前記画像を添付したメッセージを転送する過程と、をさらに含むようにするとよい。
【００１０】
好ましくは、前記所定の解像度を調整する過程は、最大サイズを有する画像の解像度を調整するとよい。
【００１１】
好ましくは、前記所定の解像度を調整する過程は、前記画像の解像度を一段階低いレベルに調整するとよい。
【００１２】
好ましくは、前記所定の解像度を調整する過程は、前記選択された全ての画像の解像度を調整するとよい。
【００１３】
好ましくは、前記所定の解像度を調整する過程は、前記総サイズが前記転送可能サイズ以下になるまで、サイズの大きい画像から順に各画像の解像度を下げるとよい。
【００１４】
好ましくは、前記所定の解像度を調整する過程は、前記総サイズが前記転送可能サイズ以下になるまで、繰り返し実行するとよい。
【００１５】
好ましくは、 前記所定の解像度を調整する過程は、最大サイズを有する画像の解像度を一段階低いレベルに調整する過程と、前記解像度を調整した画像を含む総サイズと、前記転送可能サイズとを比較する過程と、前記解像度を調整した画像を含む総サイズが、前記転送可能サイズを超過する場合、その総サイズが前記転送可能サイズ以下になるまで最大サイズを有する画像の解像度を調整する過程と、前記解像度を調整した画像を含む総サイズが、前記転送可能サイズ以下になるまで、前記比較する過程を繰り返し実行する過程と、を含むとよい。
【００１６】
好ましくは、前記メッセージは、マルチメディアメッセージや、マルチメディアメッセージサービス（ＭＭＳ）メッセージである。
【００１７】
好ましくは、前記転送可能サイズは、４００Ｋｂｙｔｅである。
【００１８】
好ましくは、前記選択された画像は、１２８０×９６０解像度レベル、６４０×４８０解像度レベル及び８０×８０解像度レベルのいずれか１つの解像度レベルである。
【００１９】
このような目的を達成するために、本発明に係る携帯端末機の画像転送装置は、所定の解像度を有する１つ以上の画像が選択される手段と、前記選択された画像の総サイズを求める手段と、前記総サイズが転送可能サイズを超過するか否かを判断する手段と、前記総サイズが前記転送可能サイズを超過する場合、その総サイズが前記転送可能サイズを超過しないように、前記選択された画像のうち少なくとも１つの画像が有する前記所定の解像度を調整する手段と、前記所定の解像度を調整する手段の調整により前記選択された画像の総サイズが、前記転送可能サイズ以下になると、前記選択された画像をメッセージに添付して転送する手段と、を含んで構成されることを特徴とする。
【００２０】
好ましくは、前記選択された画像をメッセージに添付して転送する手段は、前記総サイズが前記転送可能サイズを超過しない場合、解像度調整を実行せずに、前記選択された画像をメッセージに添付して転送するとよい。
【００２１】
好ましくは、前記所定の解像度を調整する手段は、最大サイズを有する画像の解像度を一段階低いレベルに調整する手段と、前記解像度を調整した画像を含む総サイズと、前記転送可能サイズとを比較する手段と、前記解像度を調整した画像を含む総サイズが、前記転送可能サイズを超過する場合、その総サイズが前記転送可能サイズ以下になるまで、最大サイズを有する画像の解像度を調整する手段と、前記解像度を調整した画像を含む総サイズが、前記転送可能サイズ以下になるまで、前記比較する手段を繰り返して実行する手段と、を含んで構成される。
【００２２】
また、このような目的を達成するために、本発明に係る調整した画像を転送する携帯端末機は、画像を保存するストレージユニットと、所定の解像度を有する１つ以上の画像が選択されると、該選択された画像の総サイズを求め、該総サイズが転送可能サイズを超過するか否かを判断し、前記総サイズが前記転送可能サイズを超過すると判断した場合、その総サイズが前記転送可能サイズを超過しないように、前記選択された画像のうち少なくとも１つの画像が有する前記所定の解像度を調整するプロセス部と、前記プロセス部の調整により前記選択された画像の総サイズが、前記転送可能サイズ以下になると、前記選択された画像を転送する送信器と、を含んで構成されることを特徴とする。この場合、携帯端末機は、画像の解像度を調整したか否かをユーザに知らせるディスプレイ部をさらに含むとよく、また、無線信号の送受信のための送信器と受信器とを備えるＲＦモジュールと、前記無線信号を送受信するアンテナと、携帯端末機に電源を供給するバッテリと、ユーザの命令が入力されるキーパッドと、携帯端末機のオーディオ信号を出力するスピーカと、ユーザの音声を受信するマイクロホンと、をさらに含んで構成されるとよい。
【００２３】
好ましくは、前記プロセス部は、前記総サイズが転送可能サイズを超過しない場合、別途の解像度調整を行わずに、前記選択された画像をメッセージに添付して、前記送信器により前記画像を添付したメッセージを転送させる。
【００２４】
好ましくは、前記プロセス部は、最大サイズを有する画像の解像度を一段階低いレベルに調整し、前記解像度を調整した画像を含む総サイズと、前記転送可能サイズとを比較し、前記解像度を調整した画像を含む総サイズが、前記転送可能サイズを超過すると、その総サイズが前記転送可能サイズ以下になるまで、最大サイズを有する画像の解像度を調整し、前記解像度を調整した画像を含む総サイズが、前記転送可能サイズ以下になるまで、その総サイズと前記転送可能サイズとの比較を繰り返して実行する。
【発明の効果】
【００２５】
本発明は、転送しようとする写真のサイズが携帯端末機の転送可能サイズを超過する場合、選択された写真の解像度を転送可能サイズに合わせて自動的に又はユーザの命令によって変換する。従って、転送可能サイズの超過により添付写真を数回に渡って転送する煩わしさが解消され、さらに、１件当たりに対して課金するＭＭＳの料金体系下で、利用料金の節約が期待できるという効果がある。
【発明を実施するための最良の形態】
【００２６】
以下、本発明の好ましい一実施形態を図面に基づいて説明する。
【００２７】
図１は、本発明の一実施形態による携帯端末機の操作過程を示す図であり、図２は、本発明の一実施形態による画像転送手順を示す図である。
【００２８】
以下、図１及び図２に基づいて、本発明の一実施形態に係る画像転送過程を説明する。
【００２９】
ユーザが、メッセージ内容の入力を完了して、「ファイル添付」メニューに移動し、「ファイル添付」メニューの下位メニューである「写真添付」メニューを選択すると、携帯端末機に保存された写真のリストが画面に表示される。
【００３０】
その後、ユーザが、写真のリストから転送しようとする写真を選択して（Ｓ１０）、完了キーを入力すると、携帯端末機は、選択された写真の総サイズを計算する。次に、携帯端末機は、計算されたサイズが携帯端末機の転送可能サイズ（以下、許容サイズという）を超過するか否かを判断し（Ｓ２０）、選択された写真の総サイズが許容サイズ（例: ４００Ｋｂｙｔｅ）を超過しない場合、選択された写真をＭＭＳメッセージに添付して受信側端末に転送する（Ｓ４０、Ｓ５０）。
【００３１】
これに対して、選択された写真の総サイズが許容サイズを超過すると、携帯端末機は、写真の解像度を変更するか否かを確認するためのメッセージをディスプレイ部に出力し、ユーザの指示（「Ｙｅｓ」又は「Ｎｏ」）が入力されるまで待機する（Ｓ３０）。
【００３２】
その後、ユーザが解像度の変更（「Ｙｅｓ」）を指示すると、携帯端末機は、選択された写真のサイズを確認し、最大サイズを有する写真の解像度を一段階下げる（Ｓ６０）。他の方法として、ユーザがサイズを一段階下げる写真を選択することもできる（Ｓ６０）。
【００３３】
好ましくは、携帯端末機は、画像品質を保持しつつ写真の解像度を下げる。すなわち、解像度を低くしても、画像本来の特徴や画質の特性はそのまま保持されなければならず、画像のサイズを小さくするために画像を切り抜いたり（clipping）して、不完全な画像を転送しないようにする。
【００３４】
もし、ユーザが解像度の変更なし（「Ｎｏ」）を指示すると、携帯端末機は、選択された写真の総サイズが許容サイズ以下になるように、選択された写真の１つ以上を削除する（Ｓ７０）。ここで、携帯端末機は、ユーザの優先的選択又は無作為選択により写真を削除する。
【００３５】
本一実施形態では、写真の解像度を３つのレベル、すなわち、１２８０×９６０（横ピクセル数×縦ピクセル数）解像度レベル、６４０×４８０解像度レベル、８０×８０解像度レベルに分け、１２８０×９６０解像度の写真のサイズは約１４０Ｋｂｙｔｅ、６４０×４８０解像度の写真のサイズは約４０Ｋｂｙｔｅ、８０×８０解像度の写真のサイズは約３Ｋｂｙｔｅであると仮定する。
【００３６】
しかしながら、本発明は、写真の解像度を３つ以上のレベルに分けることもでき、それにより各写真のサイズも変わる。
【００３７】
例えば、ＭＭＳメッセージに添付される４つの写真（写真１〜写真４）が選択され、それぞれの写真が１４０Ｋｂｙｔｅの１２８０×９６０解像度である場合、選択された写真の総サイズは約５６０Ｋｂｙｔｅ（１４０Ｋｂｙｔｅ×４）になる。ここで、携帯端末機は、まず、写真１の解像度を一段階下位のレベル（４０Ｋｂｙｔｅの６４０×４８０解像度）に変換する。好ましくは、この解像度変換は、ダウンサンプリング（downsampling）法により行われる。さらに、その他にも、最近傍法（nearest neighbor）、バイリニア法（bi-linear）、 バイキュービック法（bicubic）、バイキュービックスムーザー法（bicubic smoother）、バイキュービックシャーパー法（bicubic sharper）、アンチエイリアシングフィルタ（anti-aliasing filter）などの解像度変換法により行うこともできる。
【００３８】
写真１のレベル変換が行われると、携帯端末機は、選択された写真の総サイズ（４０Ｋｂｙｔｅ×１＋１４０Ｋｂｙｔｅ×３＝４６０Ｋｂｙｔｅ）が許容サイズ（４００Ｋｂｙｔｅ）を超過するか否かを判断する。判断の結果、選択された写真の総サイズ（４６０Ｋｂｙｔｅ）は、依然として許容サイズ（４００Ｋｂｙｔｅ）より大きいので、次に、写真２の解像度を６４０×４８０解像度に変換する。その後、もう一度、選択された写真の総サイズ（４０Ｋｂｙｔｅ×２＋１４０Ｋｂｙｔｅ×２＝３６０Ｋｂｙｔｅ）を再び判断する。判断の結果、選択された写真の総サイズ（３６０Ｋｂｙｔｅ）が許容サイズ（４００ Ｋｂｙｔｅ）より小さいので、携帯端末機は、選択された写真（写真１〜写真４）をＭＭＳメッセージに添付して受信側端末機に転送する（Ｓ４０＆Ｓ５０）。
【００３９】
本発明の他の実施形態としては、ユーザによって選択された写真の総サイズが許容サイズ（４００Ｋｂｙｔｅ）を超過する場合、携帯端末機は、選択された全ての写真の解像度を低くする。例えば、選択された写真が同一サイズを有するように、全ての写真の解像度を低くするか、又は各写真の解像度レベルを一段階ずつ低くすることで、選択された写真の総サイズを許容サイズ（４００Ｋｂｙｔｅ）以下にする。
【００４０】
前記過程において、選択された写真の総サイズが許容サイズを超過する場合、携帯端末機は、「選択された写真が転送可能サイズを超過しました」という通知メッセージを画面に表示することが好ましい。さらに、過程（Ｓ３０）で、「転送可能サイズに合わせて解像度を変換しますか？」という確認メッセージを画面に表示することが好ましい。また、確認メッセージの応答として、ユーザが解像度の変更（「Ｙｅｓ」）を指示すると、携帯端末機が、保存されている写真のリストを画面に再び表示して、写真の選択を変更することができる。
【００４１】
図３は、本発明の一実施形態による携帯端末機のブロック構成図である。
【００４２】
本発明の一実施形態に係る携帯端末機１００は、マイクロプロセッサ又はデジタル信号プロセッサのようなプロセス部１１０と、ＲＦモジュール１３５と、電源管理モジュール１０５と、アンテナ１４０と、バッテリ１５５と、ディスプレイ部１１５と、キーパッド１２０と、ストレージユニット１３０（例: フラッシュメモリ、ＲＯＭ、ＳＲＡＭなど）と、ＳＩＭ（Subscriber Identity Module）カード（オプション）１２５と、スピーカ１４５と、マイク１５０と、を含んで構成される。
【００４３】
ユーザは、キーパッド１２０のボタンを押したり、マイク１５０を利用した音声駆動により、電話番号のような指示情報を入力する。プロセス部１１０は、指示情報を受信及び処理してダイアルのような適当な機能を行う。また、ストレージユニット１３０から運用データを検索して、該当機能を行うことができる。さらに、プロセス部１１０は、ユーザの参照や利便性のために、指示及び運用情報をディスプレイ１１５に表示する。
【００４４】
プロセス部１１０は、指示情報をＲＦモジュール１３５に送ることで、音声通信データを含む無線信号の転送を開始する。ＲＦモジュール１３５は、無線信号を送受信するための受信器と送信器を含んで構成される。アンテナ１４０は、無線信号の送受信を容易にする。アンテナ１４０が基地局からの無線信号を受信すると、ＲＦモジュール１３５は、プロセス部１１０による処理のために信号をベースバンド周波数に変換して転送する。処理された信号は、例えば、スピーカ１４５から出力される聞き取り（audible）及び読み出し可能な（readable）情報にも変換できる。
【００４５】
プロセス部１１０は、他のユーザに転送したり他のユーザから受信するメッセージのメッセージ履歴データをストレージユニット１３０に保存し、ユーザが入力するメッセージ履歴データに対する条件付き要求（conditional request）を受信する。さらに、プロセス部１１０は、ストレージユニット１３０から条件付き要求に対応するメッセージ履歴データを読み出す（read）ために、条件付き要求を処理する。また、メッセージ履歴データをディスプレイ１１５に出力する。ストレージユニット１３０は、転送するメッセージや受信したメッセージのメッセージ履歴データを保存する。
【図面の簡単な説明】
【００４６】
【図１】本発明の一実施形態による携帯端末機の操作過程を示す図である。
【図２】本発明の一実施形態による画像転送手順を示すフローチャートである。
【図３】本発明の一実施形態による携帯端末機のブロック構成図である。
【符号の説明】
【００４７】
１０５：電源管理モジュール
１１０：プロセス部
１１５：ディスプレイ部
１２０：キーパッド
１２５：ＳＩＭカード
１３０：ストレージユニット
１３５：ＲＦモジュール
１４０：アンテナ
１４５：スピーカ
１５０：マイク
１５５：バッテリ
【図１】
2006166467.tif 000003
【図２】
2006166467.tif 000004
【図３】
2006166467.tif 000005